(57)【要約】【課題】本発明は、画像処理動作の実行不可能な異常が発生したときの利用性の向上と消費電力の削減の向上を行う。【解決手段】画像処理システム１の画像処理装置Ｇａ、Ｇｂが、ＰＳＵ２１の生成する内部電源電力Ｘを利用して各部が動作して、画像処理部３１で画像処理を行うが、画像処理部３１での画像処理の実行が不可能な異常が発生すると、ＣＰＵ２１が、ＰＳＵ１２による内部電源電力Ｘの生成の停止、補助電電力供給部３２から異常表示部１５への異常電源電力Ｃの供給及び該異常表示部１５による異常が発生した旨の報知出力を行わせる。【選択図】          図１
2014155082.tif 000002
【特許請求の範囲】
【請求項１】
外部電源から装置内で利用する内部電源電力を生成する内部電力生成手段と、
画像処理動作を行う画像処理手段と、
前記画像処理手段における画像処理動作が実行不可能な異常の発生の有無を検出する異常検出手段と、
前記異常発生の有無を報知出力する異常報知手段と、
前記異常報知手段へ補助電源電力を供給する補助電力供給手段と、
前記異常検出手段が前記異常の発生を検出すると、前記内部電力生成手段による前記内部電源電力の生成の停止、前記補助電力供給手段から前記異常報知手段への前記補助電源電力の供給及び該異常報知手段による異常が発生した旨の報知出力を行わせる異常制御手段と、
を備えていることを特徴とする画像処理装置。
【請求項２】
前記補助電力供給手段は、
他の装置と信号及び電源電力の授受を行う通信手段と、
前記通信手段が前記他の装置から受け取った前記電源電力を前記補助電源電力として前記異常報知手段へ供給する補助電力制御手段と、
を備え、
前記異常制御手段は、
前記異常検出手段が前記異常の発生を検出すると、前記内部電力生成手段による前記内部電源電力の生成の停止、前記通信手段による前記他の装置への異常発生通知と該他の装置からの電源電力の受け取りを行うとともに、前記補助電力制御手段による前記補助電源電力の前記異常報知手段への供給を制御して該異常報知手段に異常が発生した旨の報知出力を行わせることを特徴とする請求項１記載の画像処理装置。
【請求項３】
前記画像処理装置は、
前記他の装置における前記異常発生の有無を報知する他装置異常報知手段と、
前記内部電力生成手段の生成した前記内部電源電力から前記他の装置に供給する他装置電力を生成する他装置電力生成手段と、
をさらに備え、
前記異常制御手段は、
前記他の装置から前記異常発生通知があると、前記他装置異常報知手段に該他の装置に異常が発生した旨の報知出力を行わせるとともに、前記他装置電力生成手段に前記他装置電力を生成させて、前記通信手段に該他装置電力を該他の装置に送信させることを特徴とする請求項２記載の画像処理装置。
【請求項４】
前記画像処理装置は、
前記内部電源電力が停止されても記憶内容を保持する不揮発性記憶手段と、
前記不揮発性記憶手段の記憶内容の読み出しを指示操作する操作手段と、
情報を表示出力する表示手段と、
を備え、
前記異常制御手段は、
前記異常検出手段が前記異常の発生を検出すると、該異常検出手段の検出した該異常に関連する異常関連情報を前記不揮発性記憶手段に記憶させ、前記内部電力生成手段による前記内部電源電力の生成が再開されて、前記操作手段で前記異常関連情報の出力指示があると、該異常関連情報を該不揮発性記憶手段から読み出して前記表示手段に表示出力することを特徴とする請求項１から請求項３のいずれかに記載の画像処理装置。
【請求項５】
前記画像処理装置は、
前記内部電源電力の停止の可否及び前記異常報知手段への前記異常発生の報知出力時間の設定を行う設定手段を備え、
前記異常制御手段は、
前記設定手段によって前記内部電源電力の停止が可に設定されているときにのみ、前記内部電力生成手段による該内部電源電力の生成の停止を行うとともに、該設定手段で設定されている前記報知出力時間だけ、前記補助電力供給手段から前記異常報知手段への前記補助電源電力の供給及び該異常報知手段による異常が発生した旨の報知出力を行わせることを特徴とする請求項１から請求項４のいずれかに記載の画像処理装置。
【請求項６】
複数の画像処理装置が接続され、複数の該画像処理装置が連結して画像処理を実行する画像処理システムであって、
前記画像処理装置は、
外部電源から装置内で利用する内部電源電力を生成する内部電力生成手段と、
画像処理動作を行う画像処理手段と、
前記画像処理手段における画像処理動作が実行不可能な異常の発生の有無を検出する異常検出手段と、
前記異常発生の有無を報知出力する異常報知手段と、
他の画像処理装置と信号及び電源電力の授受を行う通信手段と、
前記通信手段が前記他の画像処理装置から受け取った前記電源電力を前記異常報知手段へ補助電源電力として供給する補助電力制御手段と、
前記異常検出手段が前記異常の発生を検出すると、前記内部電力生成手段による前記内部電源電力の生成の停止、前記通信手段による他の前記画像処理装置への異常発生通知と該他の画像処理装置からの前記電源電力の受け取りを行うとともに、前記補助電力制御手段による前記補助電源電力の前記異常報知手段への供給を制御して該異常報知手段に異常が発生した旨の報知出力を行わせる異常制御手段と、
を備えていることを特徴とする画像処理システム。
【請求項７】
前記画像処理装置は、
他の前記画像処理装置における前記異常発生の有無を報知する他装置異常報知手段と、
前記内部電力生成手段の生成した前記内部電源電力から他の前記画像処理装置に供給する他装置電力を生成する他装置電力生成手段と、
をさらに備え、
前記異常制御手段は、
他の画像処理装置から前記異常発生通知があると、前記他装置異常報知手段に前記他の画像処理装置に異常が発生した旨の報知出力を行わせるとともに、前記他装置電力生成手段に前記他装置電力を生成させて、前記通信手段に該他装置電力を該他の画像処理装置に送信させることを特徴とする請求項８記載の画像処理システム。
【請求項８】
前記電源切断要求信号を受信した前記画像処理装置は、
前記通信手段への前記内部電源電力の供給／供給停止を行う通信電力制御手段を備え、
前記異常制御手段は、
他の前記画像処理装置から前記異常発生通知があると、所定タイミングで、前記通信電力制御手段に、前記通信手段への前記内部電源電力の供給を停止させることを特徴とする請求項６または請求項７記載の画像処理システム。
【請求項９】
外部電源から装置内で利用する内部電源電力を生成する内部電力生成処理ステップと、
画像処理動作を行う画像処理ステップと、
前記画像処理ステップにおける画像処理動作が実行不可能な異常の発生の有無を検出する異常検出処理ステップと、
前記異常発生の有無を報知出力する異常報知処理ステップと、
前記異常報知処理ステップへ補助電源電力を供給する補助電力供給処理ステップと、
前記異常検出処理ステップで前記異常の発生が検出されると、前記内部電力生成処理ステップによる前記内部電源電力の生成の停止、前記補助電力供給処理ステップから前記異常報知処理ステップへの前記補助電源電力の供給及び該異常報知処理ステップによる異常が発生した旨の報知出力を行わせる異常制御処理ステップと、
を有していることを特徴とする異常対応方法。
【請求項１０】
制御プロセッサに、
外部電源から装置内で利用する内部電源電力を生成する内部電力生成処理と、
画像処理動作を行う画像処理と、
前記画像処理における画像処理動作が実行不可能な異常の発生の有無を検出する異常検出処理と、
前記異常発生の有無を報知出力する異常報知処理と、
前記異常報知処理へ補助電源電力を供給する補助電力供給処理と、
前記異常検出処理で前記異常の発生が検出されると、前記内部電力生成処理による前記内部電源電力の生成の停止、前記補助電力供給処理から前記異常報知処理への前記補助電源電力の供給及び該異常報知処理による異常が発生した旨の報知出力を行わせる異常制御処理と、
を実行させることを特徴とする異常対応プログラム。
【発明の詳細な説明】
【技術分野】
【０００１】
本発明は、画像処理装置、画像処理システム、異常対応方法及び異常対応プログラムに関し、詳細には、画像処理動作を実行不可能な異常が発生したときの利用性の向上と消費電力の削減の向上を行う画像処理装置、画像処理システム、異常対応方法及び異常対応プログラムに関する。
【背景技術】
【０００２】
複合装置、複写装置、プリンタ装置、ファクシミリ装置等の画像処理装置は、用紙への画像形成処理、原稿画像の読取処理、画像データの他装置への転送処理等の画像処理において該画像処理の実行が不可能な異常が発生した場合の対処が重要な過大となっている。
【０００３】
すなわち、画像処理装置は、従来から、画像処理の実行が不可能な異常、例えば、用紙切れ、用紙ジャム、原稿の搬送不良等が発生すると、動作中の画像処理動作を停止するとともに、異常内容を表示部に表示出力して、ユーザが異常の発生を認識できるようにしている。
【０００４】
ところが、主要な画像処理機能に実行不可能な異常が発生しているときや、ユーザが要求した画像処理を実行中に実行継続の異常が発生すると、該画像処理動作を停止するのみでは、電源電力は画像処理装置全体に供給し続けられているため、消費電力を削減する上で、改良の必要があった。
【０００５】
そして、従来、光学装置と、当該光学装置に設けられている光学素子を駆動する直流モータと、前記直流モータに接続される電源と、前記直流モータの制御手段とを備えた画像形成装置であって、前記制御手段は前記直流モータの異常検知手段を有し、前記異常検知手段が前記直流モータの異常を検知した場合には、前記直流モータを駆動する前記電源を遮断し、所定時間経過後に再度前記電源を前記直流モータに接続する画像形成装置が提案されている（特許文献１参照）。
【０００６】
すなわち、この従来技術は、光学素子を駆動する直流モータに異常発生を検知すると、該直流モータへの電源を遮断し、所定時間経過後に電源の供給を再度開始している。
【発明の概要】
【発明が解決しようとする課題】
【０００７】
しかしながら、上記公報記載の従来技術にあっては、異常の発生した直流モータへの電源電力供給を一時的に停止するのみであるため、画像処理装置全体に対する電源電力の供給は継続されており、消費電力を削減する上で、改良の必要があった。
【０００８】
また、公報記載の従来技術のように電源の供給を一時的に停止するのみでは、電源電力の供給が停止された理由がユーザにとって分からず、利用性を向上させる上で、改良の必要があった。
【０００９】
そこで、本発明は、画像処理動作の実行不可能な異常が発生した場合に、利用性を向上させつつ消費電力の削減を向上させることを目的としている。
【課題を解決するための手段】
【００１０】
上記目的を達成するために、請求項１記載の画像処理装置は、外部電源から装置内で利用する内部電源電力を生成する内部電力生成手段と、画像処理動作を行う画像処理手段と、
前記画像処理手段における画像処理動作が実行不可能な異常の発生の有無を検出する異常検出手段と、前記異常発生の有無を報知出力する異常報知手段と、前記異常報知手段へ補助電源電力を供給する補助電力供給手段と、前記異常検出手段が前記異常の発生を検出すると、前記内部電力生成手段による前記内部電源電力の生成の停止、前記補助電力供給手段から前記異常報知手段への前記補助電源電力の供給及び該異常報知手段による異常が発生した旨の報知出力を行わせる異常制御手段と、を備えていることを特徴としている。
【発明の効果】
【００１１】
本発明によれば、画像処理動作の実行不可能な異常が発生した場合に、利用性を向上させつつ消費電力の削減を向上させることができる。
【図面の簡単な説明】
【００１２】
【図１】本発明の一実施例を適用した画像処理システムのシステム構成図。
【図２】画像処理装置の要部ブロック構成図。
【図３】異常対応処理を示すシーケンス図。
【図４】自機における異常発生時の異常対応処理を示すフローチャート。
【図５】図４の続きの異常対応処理を示すフローチャート。
【図６】他機における異常発生時の異常対応処理を示すフローチャート。
【図７】図６の続きの異常対応処理を示すフローチャート。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図７は、本発明の画像処理装置、画像処理システム、異常対応方法及び異常対応プログラムの一実施例を示す図であり、図１は、本発明の画像処理装置、画像処理システム、異常対応方法及び異常対応プログラムの一実施例を適用した画像処理システム１のシステム構成図である。
【００１５】
図１において、画像処理システム１は、２台の画像処理装置Ｇａ、Ｇｂが、有線や無線の専用線、ＬＡＮ（Local Area Network）等のネットワーク等の通信線Ｌで接続されている。画像形成システム１は、２台の画像処理装置Ｇａ、Ｇｂが、１つの印刷ジョブ等の画像処理ジョブを、該画像処理ジョブのジョブ内容を分けあって連結して動作処理する連結動作処理を実行する。
【００１６】
画像処理装置Ｇａ、Ｇｂは、図２に示すようにブロック構成されており、コントローラ制御部１１、ＰＳＵ（Power Supply Unit ：電源供給部）１２、エンジン制御部１３、操作表示部１４及び異常表示部１５等を備えている。
【００１７】
コントローラ制御部１１は、ＣＰＵ（Central Processing Unit ）２１、ＡＳＩＣ（Application Specific Integrated Circuit）２２、ＲＯＭ（Read Only Memory）２３、不揮発性メモリ２４、ＲＡＭ（Random Access Memory）２５、ＲＴＣ（リアルタイムクロック；Real Time Clock ）２６、コントローラ電源部２７、連結電源制御部２８、異常表示制御部２９及び連結制御部３０等を備えている。
【００１８】
ＰＳＵ（内部電力生成手段）１２は、商用電源電力（例えば、ＡＣ（後流）１００Ｖ）等の外部電源電力が電源ケーブルを通して供給され、該外部電源電力を整流、変圧して、画像処理装置Ｇａ、Ｇｂ内で利用する各種内部電源電力Xを生成する。ＰＳＵ１２は、生成した内部電源電力を、画像処理装置Ｇａ、Ｇｂの各部、特に、図２に太線で示すようにコントローラ制御部１１、エンジン制御部１３及び操作表示部１４に供給する。
【００１９】
エンジン制御部１３は、画像処理装置Ｇａ、Ｇｂの各種エンジン（スキャナ、プリンタ、ファクシミリ等）のエンジンに接続され、コントローラ制御部１１の制御下で、エンジンの各機能動作を制御する。また、エンジン制御部１３は、スキャナ、プリンタ、ファクシミリ等のエンジンにおけるその動作機能の実行が不可能となる異常の有無を検知するセンサ等の異常検出部（異常検出手段）を備えている。異常検出部は、検出結果をコントローラ制御部１１のＡＳＩＣ２２に出力する。上記エンジン制御部１３及びエンジンは、全体として、画像処理動作を行う画像処理部（画像処理手段）３１として機能している。
【００２０】
操作表示部（操作手段、設定手段、表示手段）１４は、画像処理装置Ｇａ、Ｇｂを操作するのに必要な各種キーを備えるとともに、ディスプレイ（例えば、液晶ディスプレイ）やＬＥＤ（Light Emitting Diode）等のランプを備えている。操作表示部１４は、操作キーからは、画像処理装置Ｇａ、Ｇｂを利用したスキャナ処理、プリンタ処理、コピー処理、ファクシミリ処理等の画像処理に必要な各種操作や後述する異常対応処理における各種操作が行われる。また、操作表示部１４は、ディスプレイには、操作キーから入力された命令内容や画像処理装置Ｇａ、Ｇｂからユーザに通知する各種情報を表示する。特に、操作表示部１４は、不揮発性メモリ２４の記憶内容の読み出しお指示操作や内部電源電力Ｘの停止の可否及び異常表示部１５への異常発生の報知出力時間の設定を行うのに使用される。
【００２１】
異常表示部（異常報知手段）１５は、自機（画像処理装置Ｇａ、Ｇｂの一方）が異常発生で画像処理が不可能である旨を通知する自機異常表示部（異常報知手段）と、連結動作する他の画像処理装置Ｇａ、Ｇｂが異常発生で画像処理が不可能である旨を通知する他機異常表示部（他装置異常報知手段）を備えている。異常表示部１５は、その自機異常表示部及び他機異常表示部が、それぞれ、例えば、ＬＥＤ（Light Emitting Diode）で構成され、異なる色のＬＥＤが用いられている。異常表示部１５は、後述する連結電源制御部２８から異常通知用電源電力が供給され、異常表示制御部２９によってその点灯動作が制御される。すなわち、異常表示部１５は、異常表示制御部２９の制御下で、自機異常表示部及び他機異常表示部が、例えば、それぞれ点灯または点滅と消灯を選択的に動作し、点灯または点滅することで、異常がある旨を通知する。なお、異常を報知出力する異常報知手段としては、ＬＥＤ等の表示手段に限るものではなく、例えば、音声によって異常を報知出力する異常音声出力部等であってもよい。
【００２２】
コントローラ制御部１１は、そのＲＯＭ２３内に画像処理装置Ｇａ、Ｇｂの基本プログラム及び本発明の異常対応方法を実行する異常対応プログラムが格納されており、ＲＡＭ２５は、ＣＰＵ２１のワークメモリとして利用される。
【００２３】
ＡＳＩＣ２２は、ＣＰＵ２１に接続されているとともに、ＰＳＵ１２、エンジン制御部１３、操作表示部１４及びコントローラ制御部１１内のＲＯＭ２３、不揮発性メモリ２４、ＲＡＭ２５、Ｉ２Ｃ２６及び連結制御部３０に接続されている。ＡＳＩＣ２２は、ＣＰＵ２１と上記各部との信号のインターフェイス処理を行ない、ＰＳＵ１２、エンジン制御部１３及び操作表示部１４のＣＰＵ２１の制御下での動作制御を行うとともに、ＲＯＭ２３、不揮発性メモリ２４、ＲＡＭ２５、ＲＴＣ２６及び連結制御部３０へのアクセス制御を行う。
【００２４】
すなわち、ＣＰＵ２１は、ＡＳＩＣ２２を介してＲＯＭ２３内のプログラムをＲＡＭ２５に展開して、基本プログラムに基づいて画像処理装置Ｇａ、Ｇｂの各部を制御して画像処理装置Ｇａ、Ｇｂとしての基本処理を実行する。また、ＣＰＵ２１は、ＡＳＩＣ２２を介してＲＯＭ２３内の本発明の異常対応プログラムに基づいて、異常対応方法を実行する。
【００２５】
不揮発性メモリ（不揮発性記憶手段）２４は、画像処理装置Ｇａ、Ｇｂの電源がオフの場合にも記憶しておくべき情報がＣＰＵ２１によってＡＳＩＣ２２を介して格納され、また、読み出される。この不揮発性メモリに格納されるデータは、例えば、予め設定されているデータ、操作表示部１４で設定されたデータ、画像処理装置Ｇａ、Ｇｂが異常事態発生で電源が遮断（停止）されたときの履歴情報（制御コード、日時情報等）等である。なお、制御コードは、画像処理を実行することができないことを示すコード等である。
【００２６】
ＲＴＣ２６は、発振回路や分周回路等を備え、現在時刻等を計時する。ＣＰＵ２１は、ＡＳＩＣ２２を介してＲＴＣ２６の計時する時刻情報を取得する。
【００２７】
ＣＰＵ２１は、ＡＳＩＣ２２を介してエンジン制御部１３から各エンジンの動作状態及びエンジン状態（可動の可否、消耗品量情報等）のエンジン情報を取得する。ＣＰＵ２１は、該エンジン情報及び画像処理ジョブ、例えば、該ジョブに関する情報を入力指示操作する操作表示部１４からの操作情報や画像データ等に基づいて各エンジンの動作制御、特に、動作の開始、停止等を制御する。
【００２８】
ＣＰＵ（異常制御手段）２１は、ＡＳＩＣ２２を介して、ＰＳＵ１２の動作のＯＮ／ＯＦＦを制御する。すなわち、ＣＰＵ２１は、ＡＳＩＣ２２を介してＰＳＵ１２による外部電源電力から内部電源電力の生成と生成停止を制御する。
【００２９】
コントローラ電源部２７は、ＰＳＵ１２から内部電源電力が供給され、該内部電源電力からコントローラ制御部１１内で必要とする各種内部電源電力を生成して、コントローラ制御部１１内の各部に供給する。コントローラ電源部２７は、特に、ＰＳＵ１２から供給される内部電源電力から連結電源制御部２８に、内部電源電力Ｘを連結電源制御部２８に供給する。
【００３０】
連結電源制御部（補助電力制御手段、他装置電力生成手段）２８は、コントローラ電源部２７からの内部電源電力Ｘから、連結制御部３０の動作に必要な動作電源電力Ａを生成して供給するとともに、異常電源停止する他の画像処理装置Ｇａ、Ｇｂに供給する連結電源電力（他装置電力）Ｂを生成して、連結制御部３０に出力する。また、連結電源制御部２８は、内部電源電力Ｘまたは後述するように他の画像処理装置Ｇａ、Ｇｂから送られてくる連結電源電力Ｂから異常表示制御部２９及び異常表示部１５の動作に必要な異常電源電力Ｃを生成して、異常表示制御部２９及び異常表示部１５に供給する。また、連結電源制御部２８は、該連結電源電力Ｂから動作電源電力Ａを生成して、連結制御部３０に供給する。
【００３１】
連結制御部（通信手段）３０は、通信線Ｌによって他の画像処理装置Ｇａ、Ｇｂに接続されており、例えば、ＩＥＥＥ１３９４通信制御機能等を備えている。連結制御部３０は、ＡＳＩＣ２２を介してＣＰＵ２１の制御下で、他の画像処理装置Ｇａ、Ｇｂと通信して、連結動作に必要な信号とデータ送受信及び連結電源電力Ｂの送受信を行う。また、連結制御部３０は、他の画像処理装置Ｇａ、Ｇｂが異常停止したことの通知を該画像処理装置Ｇａ、Ｇｂから受け取ると、該異常停止通知をＡＳＩＣ２２を介してＣＰＵ２１に渡す。ＣＰＵ２１は、異常停止通知を受け取ると、本発明の異常対応方法で使用する連結電源電力Ａを連結電源制御部２８に生成させて、該連結電源電力Ａを連結制御部３０に通信線Ｌを通して該他の画像処理装置Ｇａ、Ｇｂに送信させる。
【００３２】
異常表示制御部２９は、ＡＳＩＣ２２、連結制御部３０及び連結電源制御部２８を介して、ＣＰＵ２１から、異常表示部１５の自機異常表示部と他機異常表示部それぞれに対応するＯＮ／ＯＦＦ制御信号が入力される。異常表示制御部２９は、ＣＰＵ２１からのＯＮ／ＯＦＦ制御信号に基づいて、異常表示部１５の自機異常表示部と他機異常表示部の点灯制御を行うことで、自機及び他機の異常有無の通知を行わせる。
【００３３】
上記連結電源制御部２８及び連結制御部３０は、異常表示部１５へ異常電源電力（補助電源電力）Ｃを供給する補助電力供給部（補助電力供給手段）３２として機能している。
【００３４】
そして、ＣＰＵ２１は、特に、ＣＰＵ２１は、エンジンの異常検出部が異常の発生を検出すると、ＰＳＵ２１による内部電源電力Ｘの生成の停止、補助電力供給部３２から異常表示部１５への異常電源電力（補助電源電力）Ｃの供給及び該異常表示部１５による異常が発生した旨の報知出力を行わせる。
【００３５】
すなわち、画像処理装置Ｇａ、Ｇｂは、後述するように、エンジン制御部１３の制御するエンジンに画像処理不可能な異常が発生すると、その画像処理装置Ｇａ、Ｇｂにおいて画像処理を停止して画像処理装置Ｇａ、Ｇｂ全体の電源電力の供給を停止するとともに、他の画像処理装置Ｇａ、Ｇｂに異常停止する旨の通知を行なって、該他の画像処理装置Ｇａ、Ｇｂから通信線Ｌを介して供給される連結電源電力Ｂを使用して異常表示部１５の自機異常表示部を点灯させる自機異常対応処理を行う。また、画像処理装置Ｇａ、Ｇｂは、他の画像処理装置Ｇａ、Ｇｂから異常停止通知を受け取ると、該他の画像処理装置Ｇａ、Ｇｂに連結電源電力Ｂを通信線Ｌを介して供給するとともに、該他の画像処理装置Ｇａ、Ｇｂが異常停止している旨を、異常表示部１５の他機異常表示部を点灯させることで通知する他機異常対応処理を行う。
【００３６】
そして、画像処理装置Ｇａ、Ｇｂは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の異常対応方法を実行する異常対応プログラムを読み込んでＲＯＭ２３等に導入することで、後述する画像処理動作の実行不可能な異常が発生した場合における消費電力の削減を向上させる異常対応方法を実行する画像処理装置Ｇａ、Ｇｂの連結されている画像形成システム１として構築されている。この異常対応プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３７】
次に、本実施例の作用について説明する。本実施例の画像処理システム１は、画像処理動作を実行不可能な異常が発生した場合に利用性を向上させつつ消費電力の削減を向上させる。
【００３８】
なお、以下の説明では、図３に示すように、画像処理装置Ｇａ、Ｇｂのうち、画像処理装置Ｇａにおいて画像処理動作不可能な異常が発生して、連結相手先である他方の画像処理装置Ｇｂに異常発生通知を行うものとして、説明するが、逆であっても同様である。なお、図３及びその説明に用いる各部の記載においては、画像処理装置Ｇａの各部には、それぞれその各部を示す符号に「ａ」を付与し、画像処理装置Ｇｂの各部には、それぞれその各部を示す符号に「ｂ」を付与している。
【００３９】
いま、図３に示すように、画像処理装置Ｇａにおいて、ＣＰＵ２１ａが、エンジン制御部１３ａから異常通知を受け取って、異常が画像処理の実行が不可能な異常であると、ＡＳＩＣ２２ａを介して、連結制御部３０ａへ異常通知送信と自機異常報知の指示を行う。連結制御部３０ａは、異常通知送信と自機異常報知の指示を受け取ると、異常表示制御部２９ａに異常表示部１５ａの自機異常表示部を点灯または点滅させて自機異常報知を行わせるとともに、通信線Ｌを通して、画像処理装置Ｇｂの連結制御部３０ｂに異常通知送信を行う。
【００４０】
画像処理装置Ｇｂは、連結制御部３０ｂが画像処理装置Ｇａから異常通知を受信すると、連結制御部３０ｂが、ＡＳＩＣ２２ｂを介して他の画像処理装置Ｇａ、Ｇｂが異常である旨の異常通知をＣＰＵ２１ｂへ行う。
【００４１】
ＣＰＵ２１ｂは、異常通知を受け取ると、ＡＳＩＣ２２ｂを介して異常通知受信完了と他機異常報知指示を連結制御部３０ｂへ行う。連結制御部３０ｂは、異常通知受信完了と他機異常報知指示を受け取ると、異常表示制御部２９ｂに異常表示部１５ｂの他機異常表示部を点灯または点滅させて他機異常報知を行わせる。さらに、連結制御部３０ｂは、連結電源制御部２８に画像処理装置Ｇａに提供する連結電源電力Ａを生成させて、該連結電源電力Ａと異常通知を受信した旨の情報を含む異常通知受信完了を通信線Ｌを通して、画像処理装置Ｇａの連結制御部３０ａに送る。
【００４２】
画像処理装置Ｇａは、連結制御部３０ａが異常通知受信完了を受け取ると、異常通知受信が完了した旨の情報をＡＳＩＣ２２ａを介してＣＰＵ２１に送るとともに、連結電源電力Ａを連結電源制御部２８に供給する。連結電源制御部２８ａは、連結電源電力Ａを受け取ると、内部電源電力Ｘから連結電源電力Ａに切り替えて、該連結電源電力Ａから異常電源電力Ｃを生成して異常表示制御部２９ａ及び異常表示部１５ａに供給する。ＣＰＵ２１ａは、異常通知を受信した旨の情報を受信すると、ＰＳＵ１２に電源電力の供給を停止させる。
【００４３】
この状態で、画像処理装置Ｇａは、ＰＳＵ１２からの画像処理装置Ｇａ全体への電源電力の供給を遮断して消費電力を削減するとともに、画像処理装置Ｇｂから供給される補助電源電力である連結電源電力Ａによって異常表示部１５への自機異常通知を行う。
【００４４】
具体的には、画像形成システム１は、図４〜図６に示すように異常対応処理を行う。すなわち、画像処理装置Ｇａは、図４に示すように、エンジンの異常検知部が異常を検出してエンジン制御部１３ａに出力すると、エンジン制御部１３ａがＡＳＩＣ２２ａを介してＣＰＵ２１ａに異常検出通知を行う（ステップＳ１０１）。
【００４５】
ＣＰＵ２１ａは、異常検出通知を受け取ると、該異常が画像処理動作（例えば、コピー動作）を続行不可能な異常であるかチェックする（ステップＳ１０２）。
【００４６】
ＣＰＵ２１ａは、ステップＳ１０２で、異常がコピー動作続行可能な異常であると（ステップＳ１０２で、ＮＯのとき）、該異常を処理する他の異常処理（電源ＯＦＦ以外の異常処理）を行って、異常対応処理を終了する（ステップＳ１０３）。
【００４７】
ＣＰＵ２１ａは、ステップＳ１０２で、異常がコピー動作続行不可能な異常であると（ステップＳ１０２で、ＹＥＳのとき）、不揮発性メモリ２４に予め設定されている異常表示ＯＮ／ＯＦＦ設定テーブルを参照する（ステップＳ１０４）。
【００４８】
この異常表示ＯＮ／ＯＦＦ設定テーブルは、ユーザが操作表示部１４ａ、１４ｂの操作によって設定することができる。ＣＰＵ２１ａ、２１ｂは、ユーザによる操作表示部１４ａ、１４ｂで、自機が異常である旨を通知する異常表示部１５の自機異常表示部のＯＮ／ＯＦＦの設定操作が行われると、該設定操作に応じて不揮発性メモリ２４ａ、２４ｂの異常表示ＯＮ／ＯＦＦ設定テーブルに登録する。
【００４９】
ＣＰＵ２１ａは、異常表示ＯＮ／ＯＦＦ設定テーブルを参照して、異常表示設定がＯＮであるか判断する（ステップＳ１０５）。
【００５０】
ステップＳ１０５で、異常表示設定がＯＮであると（ステップＳ１０５で、ＹＥＳであると）、ＡＳＩＣ２２、連結制御部３０及び異常表示制御部２９を介して異常表示部１５ａの自機異常表示部を点灯または点滅させて、自機に異常が発生している旨を報知出力させる（ステップＳ１０６）。
【００５１】
ＣＰＵ２１ａは、異常表示部１５ａの自機異常表示部を点灯または点滅させると、表示時間設定がＯＦＦであるかチェックする（ステップＳ１０７）。この表示時間設定は、ユーザが操作表示部１４ａ及び操作表示部１４ｂの操作によって適宜設定することができ、ＣＰＵ２１ａ及びＣＰＵ２１ｂは、設定内容を不揮発性メモリ２４ａ及び不揮発性メモリ２４ｂに格納する。ＣＰＵ２１ａは、ステップＳ１０７において、不揮発性メモリ２４ａの設定内容を参照して、表示時間設定がＯＦＦであるかチェックする。
【００５２】
ステップＳ１０７で、表示時間設定がＯＦＦであると（ステップＳ１０７で、ＹＥＳのとき）、連結制御部３０ａを介して他の画像処理装置Ｇｂへ異常通知の送信を行わせる（ステップＳ１０８）。
【００５３】
また、ＣＰＵ２１ａは、ステップＳ１０５で、異常表示設定がＯＦＦであると（ステップＳ１０５で、ＮＯのとき）、異常表示部１５の点灯を行うことなく連結制御部３０ａを介して他の画像処理装置Ｇｂへ異常通知の送信を行わせる（ステップＳ１０８）。
【００５４】
次に、ＣＰＵ２１ａは、本体電源ＯＦＦ情報（制御コード、日時等）をＡＳＩＣ２２ａを介して不揮発性メモリ２４に格納する（ステップＳ１０９）。ＣＰＵ２１ａは、必要な情報を不揮発性メモリ２４ａに格納すると、他の画像処理装置Ｇｂからの異常通知受信の確認を行った後、ＡＳＩＣ２２を介してＰＳＵ１２ａに画像処理装置Ｇａに供給している全ての本体電源供給を停止（ＯＦＦ）させて、異常対応処理を週寮する（ステップＳ１１０）。
【００５５】
ステップＳ１０７で、表示時間設定がＯＮであるとき（ステップＳ１０７で、ＮＯのとき）には、ＣＰＵ２１ａは、図５に示すように、不揮発性メモリ２４ａから設定時間を読み出して、タイマを該設定時間に設定し、タイマをスタートさせる（ステップＳ１１１）。なお、このタイマは、ＲＴＣ２６を利用することができる。
【００５６】
ＣＰＵ２１ａは、設定時間の計時を開始すると、ＡＳＩＣ２２ａ及び連結制御部２８ａを介して他の画像処理装置Ｇｂへ異常通知送信を行わせる（ステップＳ１１２）。
【００５７】
次に、ＣＰＵ２１ａは、本体電源オフ情報（制御コード、日時等）をＡＳＩＣ２２ａを介して不揮発性メモリ２４に格納する（ステップＳ１１３）。ＣＰＵ２１ａは、必要な情報を不揮発性メモリ２４ａに格納すると、他の画像処理装置Ｇｂからの異常通知受信の確認を行った後、ＡＳＩＣ２２を介してＰＳＵ１２ａに画像処理装置Ｇａに供給している全ての内部電源電力Ｘの供給を停止（ＯＦＦ）させる（ステップＳ１１４）。なお、画像処理装置Ｇａは、本体電源供給を停止するときには、上述のように、連結制御部３０が、他の画像処理装置Ｇｂから既に異常通知を受信した旨の情報と連結電源電力Ａを含む異常通知受信完了を通信線Ｌを介して受信しており、連結電源制御部２８が、この連結電源電力Ａに基づいて、異常電源電力Ｃを生成して異常表示制御部２９ａ及び異常表示部１５に供給している。画像処理装置Ｇａは、この異常電源電力Ｃを用いて異常表示部１５の自機異常表示部の点灯または点滅を行う。
【００５８】
そして、ＣＰＵ２１ａは、ステップＳ１１１で設定した設定時間が経過するのを待って（ステップＳ１１５）、異常表示部１５の自機異常表示部を消灯して、異常対応処理を終了する（ステップＳ１１６）。
【００５９】
そして、他方の画像処理装置Ｇｂは、図６及び図７に示すように、異常対応処理を行う。すなわち、連結制御部３０ｂが異常の発生した画像処理装置Ｇａから異常通知を受信すると（ステップＳ２０１）、ＣＰＵ２１ｂは、不揮発性メモリ２４に予め設定されている他装置異常表示ＯＮ／ＯＦＦ設定テーブルを参照する（ステップＳ１０４）。この他装置異常表示ＯＮ／ＯＦＦ設定テーブルは、ユーザが操作表示部１４ａ、１４ｂの操作によって設定することができる。ＣＰＵ２１ａ、２１ｂは、ユーザによる操作表示部１４ａ、１４ｂで、他の画像処理装置Ｇａ、Ｇｂの異常を通知する異常表示部１５の他機異常表示部のＯＮ／ＯＦＦの設定操作が行われると、該設定操作に応じて不揮発性メモリ２４ａ、２４ｂの他装置異常表示ＯＮ／ＯＦＦ設定テーブルに登録する。
【００６０】
ＣＰＵ２１ａは、他装置異常表示ＯＮ／ＯＦＦ設定テーブルを参照して、異常表示設定がＯＮであるか判断する（ステップＳ２０３）。
【００６１】
ステップＳ２０３で、異常表示設定がＯＮであると（ステップＳ２０３で、ＹＥＳであると）、ＣＰＵ２１ｂは、ＡＳＩＣ２２ｂ、連結制御部３０ｂ及び異常表示制御部２９ｂを介して異常表示部１５ｂの他機異常表示部を点灯または点滅させる（ステップＳ２０４）。
【００６２】
ＣＰＵ２１ｂは、異常表示部１５ｂの他機異常表示部を点灯または点滅させると、異常通知受信完了通知を連結制御部３０に送信させる（ステップＳ２０５）。ＣＰＵ２１ｂは、この異常通知受信完了通知においては、上述のように、連結電源制御部２８ｂに画像処理装置Ｇａに提供する連結電源電力Ａを生成させて、生成させた該連結電源電力Ａと異常通知を受信した旨の情報を含む異常通知受信完了通知として、連結制御部３０ｂに、通信線Ｌを通して、画像処理装置Ｇａの連結制御部３０ｂａに送らせる。
【００６３】
ＣＰＵ２１ｂは、異常通知受信完了通知を行うと、図７に示すように、表示時間設定がＯＦＦであるかチェックする（ステップＳ２０６）。この表示時間設定は、ユーザが操作表示部１４ａ及び操作表示部１４ｂの操作によって適宜設定することができ、ＣＰＵ２１ａ及びＣＰＵ２１ｂは、設定内容を不揮発性メモリ２４ａ及び不揮発性メモリ２４ｂに格納する。ＣＰＵ２１ｂは、ステップＳ２０６において、不揮発性メモリ２４ｂの設定内容を参照して、表示時間設定がＯＦＦであるかチェックする。
【００６４】
ステップＳ２０６において、表示設定がＯＦＦのとき（ステップＳ２０６で、ＹＥＳのとき）には、ＣＰＵ２１ｂは、画像処理装置Ｇｂの連結制御部３０ｂの電源電力をＯＦＦすることに関する情報である本体電源ＯＦＦ情報（制御コード、日時等）をＡＳＩＣ２２ａを介して不揮発性メモリ２４に格納する（ステップＳ２０７）。
【００６５】
ＣＰＵ２１ｂは、本体電源ＯＦＦ情報を格納すると、自機の連結制御部３０が電源ＯＦＦ設定されているかチェックする（ステップＳ２０８）。
【００６６】
この連結制御部３０ａ及び連結制御部３０ｂの電源ＯＦＦ設定は、ユーザが操作表示部１４ａ及び操作表示部１４ｂの操作によって適宜設定することができ、ＣＰＵ２１ａ及びＣＰＵ２１ｂは、設定内容を不揮発性メモリ２４ａ及び不揮発性メモリ２４ｂに格納する。ＣＰＵ２１ｂは、ステップＳ２０８において、不揮発性メモリ２４ｂの設定内容を参照して、自機の連結制御部３０ｂの電源ＯＦＦ設定がＯＦＦであるかチェックする。
【００６７】
ステップＳ２０８で、自機の連結制御部３０ｂの電源ＯＦＦ設定がＯＦＦであると（ステップＳ２０８で、ＹＥＳのとき）、ＣＰＵ２１ｂは、連結電源制御部２８から自機の連結制御部３０ｂへの連結電源電力Ｂの供給を停止し、異常対応処理を終了する（ステップＳ２０９）。
【００６８】
ステップＳ２０８で、自機の連結制御部３０ｂの電源ＯＦＦ設定がＯＮであると（ステップＳ２０８で、ＮＯのとき）、ＣＰＵ２１ｂは、連結電源制御部２８から自機の連結制御部３０ｂへの連結電源電力Ｂの供給を継続し、異常対応処理を終了する。
【００６９】
ステップＳ２０６で、表示時間設定がＯＮであると（ステップＳ２０６で、ＮＯのとき）、ＣＰＵ２１ｂは、設定時間Ｔを不揮発性メモリ２４ｂから読み出してタイマによる計時を開始させる（ステップＳ２１０）。ＣＰＵ２１ｂは、設定時間Ｔの計時を開始させると、他の画像処理装置Ｇａの本体電源ＯＦＦ情報（制御コード、日時等）をＡＳＩＣ２２ａを介して不揮発性メモリ２４に格納する（ステップＳ２１１）。
【００７０】
ＣＰＵ２１ｂは、他装置の本体電源ＯＦＦ情報を格納すると、設定時間Ｔが経過するのを待って（ステップＳ２１２）、ＣＰＵ２１ｂは、異常表示制御部２９ｂを介して異常表示部１５ｂの他機異常表示部を消灯させる（ステップＳ２１３）。
【００７１】
ＣＰＵ２１ｂは、他機異常表示部を消灯させると、他装置の本体電源ＯＦＦ情報を格納すると、自機の連結制御部３０が電源ＯＦＦ設定されているかチェックする（ステップＳ２０８）。ＣＰＵ２１ｂは、ステップＳ２０８で、電源ＯＦＦ設定がＯＦＦであると、連結電源制御部２８から自機の連結制御部３０ｂへの連結電源電力Ｂの供給を停止して、異常対応処理を終了する（ステップＳ２０９）。
【００７２】
ステップＳ２０８で、自機の連結制御部３０ｂの電源ＯＦＦ設定がＯＮであると、ＣＰＵ２１ｂは、連結電源制御部２８から自機の連結制御部３０ｂへの連結電源電力Ｂの供給を継続し、異常対応処理を終了する。
【００７３】
なお、上記説明においては、内部電源電力Ｘが停止されて間における補助電源電力である異常電源電力Ｃを、連結相手先の他の画像処理装置Ｇａ、Ｇｂから受けているが、異常電源電力Ｃは、他の画像処理装置Ｇａ、Ｇｂから受け取る方法に限るものではなく、例えば、それぞれの画像処理装置Ｇａ、Ｇｂに太陽電池とコンデンサを設けて太陽電池で発電した電力をコンデンサに補助電源電力Ｃとして蓄積して使用してもよい。
【００７４】
このように、本実施例の画像処理システム１は、その画像処理装置Ｇａ、Ｇｂが、外部電源から装置内で利用する内部電源電力Ｘを生成するＰＳＵ（内部電力生成手段）１２と、画像処理動作を行うエンジン制御部１３及びエンジンで機能する画像処理部（画像処理手段）３１と、画像処理部３１における画像処理動作が実行不可能な異常の発生の有無を検出する異常検出部（異常検出手段）と、前記異常発生の有無を報知出力する異常表示部（異常報知手段）１５と、異常表示部１５へ異常電源電力（補助電源電力）Ｃを供給する補助電力供給部（補助電力供給手段）３２と、前記異常検出部が前記異常の発生を検出すると、ＰＳＵ１２による前記内部電源電力Ｘの生成の停止、前記補助電力供給部３２から異常表示部１５への前記異常電源電力Ｃの供給及び該異常表示部１５による異常が発生した旨の報知出力を行わせるＣＰＵ（異常制御手段）２１と、を備えている。
【００７５】
したがって、画像処理動作の実行が不可能な異常が発生すると、内部電源電力の生成を停止するとともに、補助の異常電源電力Ｃによって異常が発生した旨を報知出力することができ、画像処理動作の実行不可能な異常が発生した場合に、画像処理装置Ｇａ、Ｇｂの利用性を向上させることができるとともに、消費電力の削減を向上させることができる。
【００７６】
また、本実施例の画像処理システム１は、その画像処理装置Ｇａ、Ｇｂが、外部電源から装置内で利用する内部電源電力Ｘを生成する内部電力生成処理ステップと、画像処理動作を行う画像処理ステップと、前記画像処理ステップにおける画像処理動作が実行不可能な異常の発生の有無を検出する異常検出処理ステップと、前記異常発生の有無を報知出力する異常報知処理ステップと、前記異常報知処理ステップへ異常電源電力Ｃを供給する補助電力供給処理ステップと、前記異常検出処理ステップで前記異常の発生が検出されると、前記内部電力生成処理ステップによる前記内部電源電力Ｘの生成の停止、前記補助電力供給処理ステップから前記異常報知処理ステップへの前記異常電源電力Ｃの供給及び該異常報知処理ステップによる異常が発生した旨の報知出力を行わせる異常制御処理ステップと、を有する異常対応方法を実行している。
【００７７】
したがって、画像処理動作の実行が不可能な異常が発生すると、内部電源電力の生成を停止するとともに、補助の異常電源電力Ｃによって異常が発生した旨を報知出力することができ、画像処理動作の実行不可能な異常が発生した場合に、画像処理装置Ｇａ、Ｇｂの利用性を向上させることができるとともに、消費電力の削減を向上させることができる。
【００７８】
さらに、本実施例の画像処理システム１は、その画像処理装置Ｇａ、Ｇｂが、制御プロセッサとしてのＣＰＵ２１に、外部電源から装置内で利用する内部電源電力Ｘを生成する内部電力生成処理と、画像処理動作を行う画像処理と、前記画像処理における画像処理動作が実行不可能な異常の発生の有無を検出する異常検出処理と、前記異常発生の有無を報知出力する異常報知処理と、前記異常報知処理へ異常電源電力Ｃを供給する補助電力供給処理と、前記異常検出処理で前記異常の発生が検出されると、前記内部電力生成処理による前記内部電源電力Ｘの生成の停止、前記補助電力供給処理から前記異常報知処理への前記異常電源電力Ｃの供給及び該異常報知処理による異常が発生した旨の報知出力を行わせる異常制御処理と、を実行させる異常対応プログラムを搭載している。
【００７９】
したがって、画像処理動作の実行が不可能な異常が発生すると、内部電源電力の生成を停止するとともに、補助の異常電源電力Ｃによって異常が発生した旨を報知出力することができ、画像処理動作の実行不可能な異常が発生した場合に、画像処理装置Ｇａ、Ｇｂの利用性を向上させることができるとともに、消費電力の削減を向上させることができる。
【００８０】
また、本実施例の画像処理システム１は、画像処理装置Ｇａ、Ｇｂの補助電力供給部３２が、他の装置である画像処理装置Ｇａ、Ｇｂと信号及び電源電力の授受を行う連結制御部（通信手段）３０と、連結制御部３０が前記他の画像処理装置Ｇａ、Ｇｂから受け取った前記電源電力を異常電源電力Ｃとして異常表示部１５へ供給する連結電源制御部（補助電力制御手段）２８と、を備え、ＣＰＵ（異常制御手段）２１が、異常検出部が前記異常の発生を検出すると、ＰＳＵ１２による内部電源電力Ｘの生成の停止、連結制御部３０による前記他の画像処理装置Ｇａ、Ｇｂへの異常発生通知と該他の画像処理装置Ｇａ、Ｇｂからの電源電力の受け取りを行うとともに、連結電源制御部２８による異常電源電力Ｃの異常表示部１５への供給を制御して該異常表示部１５に異常が発生した旨の報知出力を行わせている。
【００８１】
したがって、異常表示部１５を動作させるための電源を他の画像処理装置Ｇａ、Ｇｂから供給され、該他の画像処理装置Ｇａ、Ｇｂからの電力供給を受けて異常表示部１５を動作させることができる。
【００８２】
さらに、本実施例の画像処理システム１は、その画像処理装置Ｇａ、Ｇｂが、他の画像処理装置Ｇａ、Ｇｂにおける前記異常発生の有無を報知する他機異常表示部（他装置異常報知手段）と、ＰＳＵ１２の生成した前記内部電源電力Ｘから他の画像処理装置Ｇａ、Ｇｂに供給する連結電源電力（他装置電力）Ｂを生成する連結電源制御部（他装置電力生成手段）２８と、をさらに備え、ＣＰＵ２１が、他の画像処理装置Ｇａ、Ｇｂから前記異常発生通知があると、他機異常表示部に該他の画像処理装置Ｇａ、Ｇｂに異常が発生した旨の報知出力を行わせるとともに、前記連結電源制御部２８に連結電源電力Ｂを生成させて、連結制御部３０に該連結電源電力Ｂを該他の画像処理装置Ｇａ、Ｇｂに送信させている。
【００８３】
したがって、連結画像処理を行う画像処理装置Ｇａ、Ｇｂにおける異常発生を、他の画像処理装置Ｇａ、Ｇｂで報知出力させることができるとともに、異常発生した画像処理装置Ｇａ、Ｇｂに他の画像処理装置Ｇ１〜Ｇｎから電源電力を供給することができ、連結画像処理を行う画像処理装置Ｇａ、Ｇｂにおける異常を他の画像処理装置Ｇａ、Ｇｂにおいても確認することができる。その結果、連結動作における利用性を向上させることができるとともに、より一層消費電力を削減することができる。
【００８４】
また、本実施例の画像処理システム１は、その画像処理装置Ｇａ、Ｇｂが、前記内部電源電力Ｘが停止されても記憶内容を保持する不揮発性メモリ（不揮発性記憶手段）２４と、不揮発性メモリ２４の記憶内容の読み出しを指示操作する操作表示部（操作手段）１４と、情報を表示出力する操作表示部（表示手段）１４と、を備え、ＣＰＵ２１が、異常検出部が前記異常の発生を検出すると、該異常検出部の検出した該異常に関連する異常関連情報（制御コード、日時等）を不揮発性メモリ２４に記憶させ、ＰＳＵ１２による前記内部電源電力Ｘの生成が再開されて、操作表示部１４で前記異常関連情報の出力指示があると、該異常関連情報を該不揮発性メモリ２４から読み出して操作表示部１４に表示出力している。
【００８５】
したがって、画像書理不可能な異常が発生した場合に、その発生日時等の異常関連情報を認識できるようにすることができ、発生した異常に対する対応を速やかにかつ適切に取ることができる。
【００８６】
さらに、本実施例の画像処理システム１は、その画像処理装置Ｇａ、Ｇｂが、前記内部電源電力Ｘの停止の可否及び異常表示部１５への前記異常発生の報知出力時間の設定を行う操作表示部（設定手段）１４を備え、ＣＰＵ２１が、操作表示部１４によって前記内部電源電力Ｘの停止が可に設定されているときにのみ、ＰＳＵ１２による内部電源電力Ｘの生成の停止を行うとともに、操作表示部１４で設定されている前記報知出力時間だけ、前記補助電力供給部３２から異常表示部１５への前記異常電源電力Ｃの供給及び該異常表示部１５による異常が発生した旨の報知出力を行わせている。
【００８７】
したがって、ユーザの利用状況に応じて内部電源電力Ｘの供給停止と、必要なときに必要な時間だけ異常報知を行うことができ、より一層利用性を向上させつつ、消費電力を効率的に削減することができる。
【００８８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００８９】
１  画像処理システム
Ｇａ、Ｇｂ  画像処理装置
Ｌ  通信線
１１  コントローラ制御部
１２  ＰＳＵ
１３  エンジン制御部
１４  操作表示部
１５  異常表示部
２１、２１ａ、２１ｂ  ＣＰＵ
２２、２２ａ、２２ｂ  ＡＳＩＣ
２３  ＲＯＭ
２４、２４ａ、２４ｂ  不揮発性メモリ
２５  ＲＡＭ
２６  ＲＴＣ
２７  コントローラ電源部
２８、２８ａ、２８ｂ  連結電源制御部
２９、２９ａ、２９ｂ  異常表示制御部
３０、３０ａ、３０ｂ  連結制御部
３１  画像処理部
３２  補助電力供給部
【先行技術文献】
【特許文献】
【００９０】
【特許文献１】特開２００５−１０３２５号公報
【図１】
2014155082.tif 000003
【図２】
2014155082.tif 000004
【図３】
2014155082.tif 000005
【図４】
2014155082.tif 000006
【図５】
2014155082.tif 000007
【図６】
2014155082.tif 000008
【図７】
2014155082.tif 000009